(57)【要約】【課題】記録膜に有機色素膜を用いた追記型光ディスクにおける信号対雑音比を改善可能な光ディスクを提供する。【解決手段】この発明の光ディスク１は、所定波長の光を案内するために用いられ、所定振幅のウォブルが与えられた案内溝を有し、その案内溝相互間の中心距離をＴ（ｎｍ）、案内溝の幅をＧ（ｎｍ）、前記案内溝のウォブルの振幅をＷ（ｎｍ）としたとき、        ３  ＜  （Ｇ／Ｔ）×Ｗ  ＜  ２７    で規定されるウォブルのある案内溝を有する。【選択図】  図２
2005196817.tif 000002
【特許請求の範囲】
【請求項１】
所定波長の光が照射されることで情報が記録可能な有機色素材料を記録材とした記録膜と、
この記録膜を、前記所定波長の光を案内するために用いられるウォブルのある案内溝とともに保持する基材と、
前記記録膜の前記基材側と反対側に所定厚さに設けられた反射膜と、
前記反射膜に、接着層を介して密着される第２の基材と、
からなる光ディスクにおいて、
前記案内溝相互間の中心距離をＴ（ｎｍ）、前記案内溝の幅をＧ（ｎｍ）、前記案内溝のウォブルの振幅をＷ（ｎｍ）としたとき、    
３  ＜  （Ｇ／Ｔ）×Ｗ  ＜  ２７    
の関係があることを特徴とする光ディスク。
【請求項２】
前記案内溝相互間の中心距離Ｔは、情報の記録および再生に用いる光のスポット径よりも狭く規定されることを特徴とする請求項１記載の光ディスク。
【請求項３】
前記案内溝は、前記案内溝に照射された光の反射光から得られる前記案内溝に対応する再生信号を２倍して得られる２倍再生信号の周波数特性に基づいて、２倍再生信号を評価した場合、２倍再生信号の周波数特性から得られるピークレベルとノイズレベルとの差が１９ｄＢ以上になるように形成されていることを特徴とする請求項１記載の光ディスク。
【請求項４】
前記案内溝相互間の中心距離をＴ（ｎｍ）、前記案内溝の幅をＧ（ｎｍ）、前記案内溝のウォブルの振幅をＷ（ｎｍ）としたとき、    
６  ＜  （Ｇ／Ｔ）×Ｗ  ＜  １８    
の関係があることを特徴とする請求項１記載の光ディスク。
【請求項５】
前記案内溝は、前記案内溝に照射された光の反射光から得られる前記案内溝に対応する再生信号を２倍して得られる２倍再生信号の周波数特性に基づいて、２倍再生信号を評価した場合、２倍再生信号の周波数特性から得られるピークレベルとノイズレベルとの差が２４ｄＢ以上になるように形成されていることを特徴とする請求項４記載の光ディスク。
【請求項６】
前記案内溝相互間の中心距離をＴ（ｎｍ）、前記案内溝の幅をＧ（ｎｍ）、前記案内溝のウォブルの振幅をＷ（ｎｍ）としたとき、    
６  ＜  （Ｇ／Ｔ）×Ｗ  ＜  ８    
の関係があることを特徴とする請求項１記載の光ディスク。
【請求項７】
前記案内溝は、前記案内溝に照射された光の反射光から得られる前記案内溝に対応する再生信号を２倍して得られる２倍再生信号の周波数特性に基づいて、２倍再生信号を評価した場合、２倍再生信号の周波数特性から得られるピークレベルとノイズレベルとの差が２６ｄＢ以上になるように形成されていることを特徴とする請求項６記載の光ディスク。
【請求項８】
情報の記録または再生に利用される光の波長は、中心波長が４０５ｎｍであることを特徴とする請求項１ないし７のいずれかに記載の光ディスク。
【請求項９】
所定波長の光が照射されることで、情報が記録可能な有機色素を記録材料とした記録膜と、
この記録膜を、前記所定波長の光を案内するために用いられ、所定振幅のウォブルが与えられた案内溝を有し、その案内溝相互間の中心距離をＴ（ｎｍ）、案内溝の幅をＧ（ｎｍ）、前記案内溝のウォブルの振幅をＷ（ｎｍ）としたとき、    
３  ＜  （Ｇ／Ｔ）×Ｗ  ＜  ２７    
で規定されるウォブルのある案内溝とともに保持する基材と、
前記記録膜の前記基材側と反対側に所定厚さに設けられた反射膜と、
前記反射膜に、接着層を介して密着される第２の基材と、
からなる光ディスク。
【請求項１０】
情報の記録または再生に利用される光の波長は、中心波長が４０５ｎｍであることを特徴とする請求項９記載の光ディスク
【請求項１１】
情報が記録可能な情報記録媒体であって、
情報を記録するための情報記録領域と、
前記情報記録領域上で光を案内するために利用される溝であって、所定のタイミングで位相が変調された周波数に対応して所定振幅でウォブルされているウォブルグルーブと、
を備え、
前記グルーブ相互間の中心距離をＴ（ｎｍ）、前記グルーブの幅をＧ（ｎｍ）、前記グルーブのウォブルの振幅をＷ（ｎｍ）としたとき、前記グルーブに所定波長の光が照射された際に得られる反射光からに対応する再生信号を２倍して得られる２倍再生信号の周波数特性を用いて２倍再生信号を評価した結果、２倍再生信号の周波数特性から得られるピークレベルとノイズレベルとの差が１９ｄＢ以上になるように「（Ｇ／Ｔ）×Ｗ」が規定されていることを特徴とする情報記録媒体。
【発明の詳細な説明】
【技術分野】
【０００１】
この発明は、例えば光ディスク等の情報記録媒体に係り、特に記録膜に有機色素膜を用いた追記型光ディスクに関する。
【背景技術】
【０００２】
情報記録媒体としての光ディスクには、ＣＤ、ＤＶＤ−ＲＯＭに代表される再生専用型や、ＣＤ−Ｒ、ＤＶＤ−Ｒに代表される１回追記型、コンピュータの外付けメモリや録再ビデオに利用可能なＣＤ−ＲＷ、ＤＶＤ−ＲＡＭ、ＤＶＤ−ＲＷに代表される書き換え可能型等がある。
【０００３】
上述した様々な規格の光ディスクのなかでも１回追記型光ディスクでは、光ディスクに形成されたグルーブ（案内溝）をウォブルさせるとともに、グルーブに、アドレス情報を持たせている。
【０００４】
追記型光ディスクの多くは、ディスク成型時に予め形成されたグルーブに、所定の厚さの有機色素膜が堆積された構造を取る。
【０００５】
しかしながら、グルーブに有機色素膜が入り込むことによりグルーブの実効深さや幅が変動し易く、グルーブウォブル信号が記録データ部に漏れ込んで、エラーが発生することが知られている。
【０００６】
このような背景から、    
ウォブル振幅Ｗｏとプッシュプル振幅ＰＰとの割合（Ｗｏ／ＰＰ）が０．１≦Ｗｏ／ＰＰ≦０．４の範囲にあること    
記録層溝深さをｄ１（１０−１０ｍ）、ウォブル周波数ｍ（Ｔ）すると１２００≦ｄ１×ｍ≦１６００００の範囲にあること    
を規定した提案がある（例えば特許文献１参照）。
【特許文献１】特開特開２００３−１７３５７７号公報
【発明の開示】
【発明が解決しようとする課題】
【０００７】
しかしながら、記録密度を上げる目的で、記録に用いるレーザ光の波長を、概ね４００ｎｍまで短波長化（集光スポット径の小径化）した規格で用いる追記型光ディスクでは、波長換算分よりも一層トラックピッチが詰まっているため、隣接グルーブのウォブル信号の漏れこみが今まで以上に大きくなる問題がある。
【０００８】
また、波長が４００ｎｍのレーザ光に感度のある色素は、現行のＤＶＤ規格のディスクに用いられる色素に比較して感度が低いため、グルーブ幅の最適値は、ＤＶＤ規格の追記型光ディスクよりも狭くなる。このため、トラッキング信号（プッシュプル信号）振幅を十分なレベルで得ることが困難となり、信号対雑音比等も悪化する問題がある。
【０００９】
なお、この問題は、特許文献１に記載のある条件を用いることによっても、改善されるものではない。
【００１０】
この発明の目的は、記録膜に有機色素膜を用いた追記型光ディスクにおける信号対雑音比を改善可能な光ディスクを提供することにある。
【課題を解決するための手段】
【００１１】
この発明は、所定波長の光が照射されることで情報が記録可能な有機色素材料を記録材とした記録膜と、この記録膜を、前記所定波長の光を案内するために用いられるウォブルのある案内溝とともに保持する基材と、前記記録膜の前記基材側と反対側に所定厚さに設けられた反射膜と、前記反射膜に、接着層を介して密着される第２の基材と、からなる光ディスクにおいて、
前記案内溝相互間の中心距離をＴ（ｎｍ）、前記案内溝の幅をＧ（ｎｍ）、前記案内溝のウォブルの振幅をＷ（ｎｍ）としたとき、    
３  ＜  （Ｇ／Ｔ）×Ｗ  ＜  ２７    
の関係があることを特徴とする光ディスクを提供するものである。
【００１２】
また、この発明は、所定波長の光が照射されることで、情報が記録可能な有機色素を記録材料とした記録膜と、この記録膜を、前記所定波長の光を案内するために用いられ、所定振幅のウォブルが与えられた案内溝を有し、その案内溝相互間の中心距離をＴ（ｎｍ）、案内溝の幅をＧ（ｎｍ）、前記案内溝のウォブルの振幅をＷ（ｎｍ）としたとき、    
３  ＜  （Ｇ／Ｔ）×Ｗ  ＜  ２７    
で規定されるウォブルのある案内溝とともに保持する基材と、前記記録膜の前記基材側と反対側に所定厚さに設けられた反射膜と、前記反射膜に、接着層を介して密着される第２の基材と、からなる光ディスクを提供するものである。
【００１３】
また、この発明は、情報が記録可能な情報記録媒体であって、情報を記録するための情報記録領域と、前記情報記録領域上で光を案内するために利用される溝であって、所定のタイミングで位相が変調された周波数に対応して所定振幅でウォブルされているウォブルグルーブと、を備え、前記グルーブ相互間の中心距離をＴ（ｎｍ）、前記グルーブの幅をＧ（ｎｍ）、前記グルーブのウォブルの振幅をＷ（ｎｍ）としたとき、前記グルーブに所定波長の光が照射された際に得られる反射光からに対応する再生信号を２倍して得られる２倍再生信号の周波数特性を用いて２倍再生信号を評価した結果、２倍再生信号の周波数特性から得られるピークレベルとノイズレベルとの差が１９ｄＢ以上になるように「（Ｇ／Ｔ）×Ｗ」が規定されていることを特徴とする情報記録媒体を提供するものである。
【発明の効果】
【００１４】
本発明によれば、本発明によれば、記録膜に有機色素膜を用いる光ディスクのグルーブが色素膜に埋もれて再生信号が不安定になることが低減される。
【００１５】
また、本発明によれば、トラックピッチが狭い短波長の光により情報の記録が可能な追記型光ディスクにおいても、隣接グルーブからのウォブル信号の漏れ込みの影響を最小にでき、また当該トラックのウォブル信号強度を最適化することができる。
【００１６】
さらに、隣接グルーブからのウォブル信号の漏れ込みが少なくトラックピッチを狭めることの可能な光ディスクが製造可能であり、記録密度を高密度化しながら高い信号品質を得ることができる。
【発明を実施するための最良の形態】
【００１７】
以下、図面を参照して、この発明の実施の形態について詳細に説明する。
【００１８】
図１に示されるように、記録媒体である光ディスク１は、第１の透明基板１１と、第１の透明基板に対向して設けられる第２の透明基板２１と、両基板間に第１の透明基板１１側から順に設けられた記録層１２、反射層１３および接着層１４からなる。なお、光ディスク１すなわち第１および第２の基板の中心には、直径が１５ｍｍの中心孔１ａが形成されている。また、それぞれの基板１１，２１の直径は１２０ｍｍで、厚さは概ね０．６ｍｍであり、記録層１２，反射層１３および接着層１４を含むディスク１の総厚は、概ね１．２ｍｍである。
【００１９】
第１の基板１１の記録層１２側の面は、図２により以下に説明するグルーブ（案内溝）１１ａが形成されている。なお、グルーブ１１ａは、例えば中心孔１ａ側から外径方向に向けて連続して形成される１本のスパイラル状であって、隣接するグルーブとの間の距離が所定の周期で変化されるウォブル状に、形成されている。
【００２０】
記録層１２には、ジアゾ系やフタロシアニン系の有機色素材料が所定厚さに形成されている。なお、記録用に用いられるレーザ光の波長、例えば４０５ｎｍに対して所定レベルの感度を呈する材料であれば、例えば無機系の材料も利用可能である。
【００２１】
反射層１３には、例えばＡｌやＡｇ等が、例えばスパッタリング等の手法により、所定厚さだけ形成される。
【００２２】
接着層１４は、例えば紫外線（ＵＶ光）が照射されることで硬化する紫外線硬化型接着剤であり、例えば粘性が１００ないし５０００ＣＰＳ程度の粘度の樹脂から任意に選択できる。
【００２３】
第２の基板１５は、例えば第１の基板１１を製造する工程から、グルーブ１１ａと記録層１２および反射層１３を製造する各工程を省略して成形し、もしくは予め所定の厚さに形成された透明樹脂板をプレス加工等により円盤状としたもので、必要に応じて、接着層１４と反対の面に文字情報や写真等を印刷可能とするラベル領域が形成されてもよい。
【００２４】
なお、第１の基板１１に形成されるグルーブ１１ａの光ディスク１の径方向の間隔は、図３を用いて以下に説明するが、概ね４００ｎｍ（中央値、以下トラックピッチＴと呼称する）である。また、グルーブ１１ａは、上述したように所定周期でウォブルされ、その振幅（ウォブル振幅）は、例えばトラックピッチＴに対して、    
ウォブル振幅をＷ（ｎｍ）、    
グルーブ１１ａの幅をＧ（ｎｍ、計測方法は後述）、    
トラックピッチをＴ    
として求められる「（Ｇ／Ｔ）Ｗ」が図３により以下に説明する範囲内になるよう、規定されている。
【００２５】
ところで、図２から明らかなように、スパイラル状に形成されるグルーブをウォブル状とすることにより、隣接するグルーブのウォブル振幅の位相の周期性から、グルーブ相互間の間隔が変動することが知られている。なお、グルーブ相互間の間隔がウォブル振幅により変化するレベルは、ビート（beat）と呼ばれている。
【００２６】
このことは、ウォブル状のグルーブに予め形成されているアドレス情報を読み出す際、特に隣接グルーブとの間の距離が狭くなる（スパイラル）位置において、隣りのグルーブに記録されているアドレス情報が再生された信号の漏れであるクロストーク（信号対雑音比の低下）を増大させることになる。
【００２７】
隣接グルーブに記録されている情報の漏れは、グルーブ幅Ｇを狭くすることである程度抑止できるが、トラッキング誤差信号として利用するプッシュプル信号の振幅も、非常に小さくなる。
【００２８】
このことから、ビートの影響を回避するため、グルーブ幅Ｇを狭くするとトラッキング外れが生じやすくなるため、グルーブ幅Ｇを狭くできる程度には下限値が存在することになる。なお、グルーブ幅Ｇが狭くなると、トラッキング誤差信号がノイズに埋もれやすくなることはいうまでもない。
【００２９】
一方、ウォブル振幅Ｗを変化させれば、ウォブル信号強度と隣接グルーブからの漏れとの関係は変化するが、グルーブ幅Ｇとウォブル振幅Ｗとは、トレードオフの関係にある。従って、いずれか一方を最適化することができたとしても、両者を最適化することは困難である。
【００３０】
そこで、図３に示すように、トラックピッチ（グルーブ相互間距離の中心値）をＴｎｍ、グルーブ幅をＧｎｍ、ウォブル振幅をＷｎｍとし、    
（Ｇ／Ｔ）×Ｗ    
を変化させた際のＷＣＮＲ（ウォブル信号強度対雑音比）を、トラックピッチＴを４００ｎｍに固定し、グルーブ幅Ｇを、１９０ｎｍと２６０ｎｍに変化させ、ウォブル振幅Ｗを７ｎｍと１４ｎｍとして試作した光ディスクを、開口数ＮＡが０．６５の対物レンズを用い、波長λ＝４０５ｎｍの試験機により再生信号を得たところ、    
ＷＣＮＲの下限とされる１９ｄＢ以上の再生出力は、    
３  ＜  （Ｇ／Ｔ）×Ｗ  ＜  ９    
の範囲で得られることがわかる。
【００３１】
また、余裕をみて、ＷＣＮＲ２４ｄＢ以上を可能とする再生出力は、    
５  ＜  （Ｇ／Ｔ）×Ｗ  ＜  ９    
の範囲で得られることがわかる。
【００３２】
さらに、例えば記録装置と再生装置が異なる場合等においても、確実に信号再生可能な範囲として、例えばＷＣＮＲ２６ｄＢ以上の再生出力が得られる範囲を見ると、    
６  ＜  （Ｇ／Ｔ）×Ｗ  ＜  ８    
であることが認められる。
【００３３】
なお、グルーブ幅Ｇを、グルーブＧの深さ方向の概ね中心において規定する場合、グルーブ幅Ｇと非グルーブ領域の幅の関係が概ね１：１（グルーブ幅ＧがトラックピッチＴの１／２）よりも大きくなることについては、ディスク成型時の条件等から実質的に考慮の必要がなく、反面グルーブ幅がトラックピッチＴの１／３程度までは、許容すべきであることから、上記ＷＣＮＲが１９ｄＢよりも大きな再生出力となりうる範囲は、「Ｇ／Ｔ＝１／２」において、    
６  ＜  （Ｇ／Ｔ）×Ｗ  ＜  １８    
であり、同様に「Ｇ／Ｔ＝１／３」においては、    
９  ＜  （Ｇ／Ｔ）×Ｗ  ＜  ２７    
となる。
【００３４】
従って、前に説明したＷＣＮＲが１９ｄＢ以上となる再生信号が得られる「（Ｇ／Ｔ）×Ｗ」の範囲は、比例計算により、    
６  ＜  （Ｇ／Ｔ）×Ｗ  ＜  ２７    
となる。
【００３５】
また、ＷＣＮＲ２６ｄＢ以上の再生出力が得られる範囲は、同様に、比例計算により、    
９  ＜  （Ｇ／Ｔ）×Ｗ  ＜  １８    
であることが認められる。
【００３６】
以上説明したように、ウォブルのあるグルーブが予め形成された基板に、有機色素膜を記録層とした光ディスクにおいては、ウォブル振幅のビートの影響を考慮して、トラックピッチをＴｎｍ、グルーブ幅をＧｎｍ、ウォブル振幅をＷｎｍとしたとき、    
３  ＜  （Ｇ／Ｔ）×Ｗ  ＜  ２７    
の範囲で、    
ＷＣＮＲの下限とされる１９ｄＢ以上の再生出力を得ることができる。
【００３７】
また、好ましくは、    
６  ＜  （Ｇ／Ｔ）×Ｗ  ＜  ２７    
の範囲で、良好な再生信号を得ることができる。
【００３８】
さらに、記録装置と再生装置が異なる場合等においても、    
９  ＜  （Ｇ／Ｔ）×Ｗ  ＜  １８    
の範囲に、グルーブ幅ＧとトラックピッチＴとウォブル振幅Ｗを関係づけることで、確実に再生信号が得られることがわかる。
【００３９】
このように、グルーブ幅ＧとトラックピッチＴとウォブル振幅Ｗを関係づけて設定することで、信号強度を確保しつつ、隣接グルーブからのウォブル信号の漏れを防ぐことができる。なお、いずれの条件より定義されるグルーブ相互の間隔すなわちトラックピッチＴは、図示しない記録再生装置からの記録再生のためのレーザ光が集光された際のスポット径よりも狭いことが好ましい。
【００４０】
また、トラッキングを安定させることができるグルーブ幅Ｇについても、「（Ｇ／Ｔ）×Ｗ」が上記範囲内の数値を取るよう、各パラメータを設定することで、安定なトラック制御が可能な光ディスクが得られる。
【００４１】
なお、上述したウォブル振幅Ｗを含むグルーブＧのＷＣＮＲは、例えば図４を用いて以下に説明する評価装置により評価可能である。
【００４２】
評価装置１０１は、コントローラ１１１、記録信号処理回路１１２、レーザ駆動回路１１３、ピックアップヘッド１１４、フォトディテクタ１１５、プリアンプ１１６、サーボ回路１１７、ＲＦ信号処理回路１１８、アドレス信号処理部１２０、測定部１３０等を含む。
【００４３】
なお、評価装置１０１は、例えば一般的な光ディスク装置に、測定部１３０を付加することで容易に構成でき、測定部１３０に、例えば低ノイズ除去／増幅器１３１、バンドパスフィルタ１３２、乗算回路（２逓倍回路）１３３、周波数特性測定回路（スペクトラムアナライザ）１３４等を追加すればよい。
【００４４】
すなわち、測定部１３０の低ノイズ除去／増幅器１３１に、プリアンプ１１６からの出力を入力し、周波数特性測定回路１３４からの出力を、コントローラ１１１に入力することで、以下に説明する評価が可能となる。
【００４５】
例えば、ＰＵＨ１１４から出射されるレーザ光を、図２に示したようなウォブルのあるグルーブを有する光ディスク（評価対象物）の情報記録層に照射し、光ディスクに固有のウォブルグルーブに予め記録されている情報による変調成分を含む光ディスクからの反射レーザ光をＰＵＨ１１４により捕獲したのち、ＰＤ１１５に導き、ＰＤ１１５から出力される電気信号を、前に説明した測定部１３０に入力すればよい。なお、ＰＤ１１５としては、周知の４分割ディテクタ等を用いることができる。また、４分割ディテクタの個々の検出領域により得られた出力信号に基づいて、図５に示すような「和信号」および図６に示すような「差信号」を得る方法も周知であるから、詳細な説明は省略する。
【００４６】
なお、図６に示した「差信号」が本発明で取り扱うラジアルプッシュプル信号である。また、ラジアルプッシュプル信号のみがウォブルにあわせて変化するので、前に説明したが、これをウォブル信号と呼ぶ。
【００４７】
以下、測定部１３０に案内される信号が生成されるまでを簡単に説明すると、ＰＤ１１５から出力された４つの電気信号は、プリアンプ１１６で増幅され、サーボ回路１１７、ＲＦ信号処理回路１１８およびアドレス信号処理部１２０に出力される。
【００４８】
サーボ回路１１７は、ＰＤ１１５により検出された電気信号に基づき、詳述しない対物レンズと評価対象物（光ディスク）との記録面およびグルーブのそれぞれに関し、フォーカス、トラッキング、チルト等のサーボ信号を生成し、各サーボ信号を、それぞれＰＵＨ１１４の図示しないフォーカス、トラッキング、チルトアクチュエータに出力することにより、対物レンズと光ディスクの記録面およびグルーブとの位置関係を、所定の範囲内に設定する。
【００４９】
ＲＦ信号処理回路１１８は、ＰＤ１１５により検出された電気信号のうち、主に和信号（図５参照）を処理することにより、光ディスクに記録されている情報等を再生する。
【００５０】
アドレス信号処理部１２０は、ＰＤ１１５により検出された電気信号を処理することにより、光ディスク上の記録位置を示す物理アドレス情報を読み出し、コントローラ１１１に出力する。なお、アドレス信号処理部１２０は、例えば図７に示すようにバンドパスフィルタ１２１、ウォブルＰＬＬ１２２、シンボルクロック発生器１２３、位相比較器１２４、ローパスフィルタ１２５、二値化器１２６、およびアドレス情報処理回路１２７等を備え、ＰＤ１１５から供給されるラジアルプッシュプル信号から、ウォブルグルーブに反映された物理アドレス情報等の管理情報を読み取る。
【００５１】
図８は、変調されていない単一周波数のウォブル信号の周波数特性を示す図である。周波数特性は、ウォブル信号のキャリア周波数（ｆ１）でピークを持ち、それ以外の部分はノイズ成分である。図８に示すように、ＮＢＳＮＲ（またはＷＣＮＲ）は、ピーク値とノイズレベルの差を求めることによって測定することができる。
【００５２】
本発明では、上記したうようなウォブル信号のＷＣＮＲを正確に測定するために、２逓倍ＷＣＮＲを定義する。この２逓倍ＷＣＮＲは、ウォブル信号を２逓倍した結果の周波数特性からウォブルキャリア周波数の２倍の周波数に出現するピーク値とノイズレベルの差である。
【００５３】
図９は、変調されていない単一周波数のウォブル信号を２逓倍して得られる２逓倍ウォブル信号の周波数特性を示す図である。図１０は、符号間の位相差が約１８０度の２値位相変調のウォブル信号を２逓倍して得られる２逓倍ウォブル信号の周波数特性を示す図である。図１１は、部分的に変調されたウォブル信号を２逓倍して得られる２逓倍ウォブル信号の周波数特性を示す図である。
【００５４】
図９、図１０、図１１から、２逓倍ウォブル信号は、２×ｆ１、２×ｆ２、２×ｆ３でピークを一つだけ持つ単純な周波数特性になっていることがわかる。
【００５５】
これは、ウォブル信号を２逓倍することによって、ウォブル信号のキャリア成分だけを抽出したためである。
【００５６】
従って、この２逓倍後の周波数特性におけるキャリア周波数の２倍の周波数に出現するピーク値とノイズレベルの差を２逓倍ＷＣＮＲとして求め、この２逓倍ＷＣＮＲを評価すれば、ウォブル信号を正確に把握できる。
【００５７】
より詳細には、評価装置１０１の測定部１３０の低ノイズ除去／増幅器１３１には、プリアンプ１１６から出力されるラジアルプッシュプル信号、すなわちウォブル信号が入力され、ウォブル信号に含まれる直流成分が取り除かれる。また、ウォブル信号は、増幅器１３１により所定レベルまで増幅される。
【００５８】
増幅されたウォブル信号は、バンドパスフィルタ１３２により余分な周波数成分が除去され、乗算回路１３３に供給される。なお、余分な周波数成分とは、キャリア周波数から十分離れた周波数成分である。
【００５９】
乗算回路１３３は、供給されたウォブル信号を乗算（逓倍）し、例えば２逓倍ウォブル信号を生成し、この２逓倍ウォブル信号を周波数特性測定回路１３４に供給する。
【００６０】
従って、周波数特性測定回路１３４により、２逓倍ＷＣＮＲが測定される。
【００６１】
このようにして求められたＷＣＮＲが、図３により前に説明した数値（ｄＢ）である。
【００６２】
以下、図１および図２に示した光ディスクを製造する工程を、図１３を用いて簡単に説明する。なお、図１３に示す各工程は、一部の工程を除いて、詳述しないが記録媒体を製造する記録媒体製造装置の動作の一例に対応されることはいうまでもない。
【００６３】
まず、工程［２０１］で示すように、表面を所定の表面粗さまで研磨した後、洗浄したガラスを原盤３０１として用意する。
【００６４】
次に、工程［２０２］として示すように、ガラス原盤３０１の表面に、フォトレジスト３０３を塗布し、続いて、工程［２０３］で示すように、所定の波長のレーザ光で露光して物理情報（ヘッダ）や案内溝（凹凸すなわちウォブルグルーブ）等を記録する。なお、ここで記録される物理情報（ヘッダ）や案内溝（凹凸すなわちウォブルグルーブ）が、前に説明した「（Ｇ／Ｔ）・Ｗ」が所定の範囲内に規定されることはいうまでもない。
【００６５】
次に、露光したガラス原盤３０１を現像してフォトレジストの未現像部分を除去し、工程［２０４］で示すようなピット等の凹凸を得る。
【００６６】
以下、工程［２０５］で示すように、工程［２０４］で得られたガラス原盤３０１をメッキ処理して、スタンパ３１１を作成する。
【００６７】
次に、工程［２０６］で示すように、スタンパ３１１を型として、射出成形により樹脂成形板（図１に示した第１の基板１１に相当）を作成する。なお、基板材料には、例えばポリカーボネートが用いられる。
【００６８】
続いて、工程［２０７］で示すように、第１の基板に相当する成形板（１１）に、記録膜（１２）となる有機色素を、例えばスピンコート法により所定の厚さだけ塗布し、所定の乾燥法により硬化させる。
【００６９】
以下、工程［２０８］で示すように、記録層（１２）の上に、反射層１３を形成し、別工程で作成された第２の基板２１に相当する基板を、接着剤１４を用いて貼り合せることにより、光ディスクができあがる。
【００７０】
なお、接着剤１４が、例えば紫外線（ＵＶ光）が照射されることで硬化するＵＶ硬化樹脂である場合には、工程［２０７］に替えて、図示しないが、例えばスピナーにより、所定の回転数で回転された状態で、ＵＶ硬化樹脂が第１の基板１１の反射層１３上に所定量滴下されたのち、別工程で予め用意されている第２の基板２１が、ＵＶ硬化樹脂が拡散されている面と反対に向けられた状態で、第１の基板１１上にセットされ、スピナーの高速回転（余剰接着剤除去工程）により除去された後、紫外線（ＵＶ光）が照射されることで、光ディスクができあがる。
【００７１】
なお、記録層に無機材料を用いる場合には、記録層は、例えばスパッタリング法等により所定厚さに形成されることはいうまでもない。
【００７２】
また、上述した実施の形態では、厚さが０．６ｍｍの基板を貼り合わせる例を説明したが、例えば厚さが１．１ｍｍの基板に厚さが０．１ｍｍのカバー層を貼り合わせる場合においても同様の効果が得られることは言うまでもない。
【００７３】
以上説明したように、この発明しによれば、波長４００ｎｍ近傍の青色レーザ光に感度を示す、記録感度が現行のＤＶＤディスク向けの色素膜に比較して低い有機色素膜を記録膜として用いる追記型光ディスクにおいて、グルーブ幅Ｇを最適化することでグルーブ溝内の色素の量を制御して、小さな記録レーザパワーで容易に情報が記録可能な光ディスクが得られる。なお、図３に示した「Ｇ／Ｔ＝１／３」は、現行のディスク作製プロセスにおいてほぼ限界といえるほど狭いグルーブ幅であるが、前に説明した「（Ｇ／Ｔ）・Ｗ」が所定の範囲内になるよう、各パラメータを設定することで、信号対雑音比（ＷＣＮＲ）が１９ｄＢ以上となる追記型光ディスクが得られている。
【００７４】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて実施されてもよく、その場合、組み合わせによる効果が得られる。
【図面の簡単な説明】
【００７５】
【図１】この発明の実施の形態が適用される光ディスクの一例を説明する概略図。
【図２】図１に示した光ディスクの記録面に形成されているウォブルグルーブを説明する概略図。
【図３】図２に示した光ディスクのウォブルグルーブからの再生信号と雑音の関係を説明する概略図。
【図４】図１および図２に示した光ディスクのウォブルの状態を評価する評価装置の一例を説明する概略図。
【図５】図４に示した評価装置において、ウォブルグルーブからの反射光に基づいて得られる「和信号」を説明する概略図。
【図６】図４に示した評価装置において、ウォブルグルーブからの反射光に基づいて得られる「差信号」を説明する概略図。
【図７】図４に示した評価装置に利用されるアドレス信号処理部の一例を説明する概略図。
【図８】図４に示した評価装置に利用される測定部の一例を説明する概略図。
【図９】図４に示した評価装置により得られる単一周波数のウォブル信号の周波数特性の一例を説明する概略図。
【図１０】図４に示した評価装置により得られる変調されていない単一周波数のウォブル信号を２逓倍して得られる２逓倍ウォブル信号の周波数特性の一例を説明する概略図。
【図１１】図４に示した評価装置により得られる符号間の位相差が約１８０度の２値位相変調のウォブル信号を２逓倍して得られる２逓倍ウォブル信号の周波数特性を説明する概略図。
【図１２】図４に示した評価装置により得られる部分的に変調されたウォブル信号を２逓倍して得られる２逓倍ウォブル信号の周波数特性を説明する概略図。
【図１３】この発明ての実施の形態が適用される光ディスクを製造する工程の一例を説明する概略図。
【符号の説明】
【００７６】
１…光ディスク、１１…第１の透明基板、１２…記録層、１３…反射層、１４…接着層、２１…第２の透明基板、１０１…評価装置、１１１…コントローラ、１１２…記録信号処理回路、１１３…レーザ駆動回路、１１４…ピックアップヘッド、１１５…フォトディテクタ、１１６…プリアンプ、１１７…サーボ回路、１１８…ＲＦ信号処理回路、１２０…アドレス信号処理部、１２１・・・バンドパスフィルタ、１２２…ウォブルＰＬＬ、１２３…シンボルクロック発生器、１２４…位相比較器、１２５…ローパスフィルタ、１２６…二値化器、１２７…アドレス情報処理回路、１３０…測定部、１３１・・・低ノイズ除去／増幅器、１３２…バンドパスフィルタ、１３３…乗算回路（２逓倍回路）、１３４…周波数特性測定回路（スペクトラムアナライザ）。
【図１】
2005196817.tif 000003
【図２】
2005196817.tif 000004
【図３】
2005196817.tif 000005
【図４】
2005196817.tif 000006
【図５】
2005196817.tif 000007
【図６】
2005196817.tif 000008
【図７】
2005196817.tif 000009
【図８】
2005196817.tif 000010
【図９】
2005196817.tif 000011
【図１０】
2005196817.tif 000012
【図１１】
2005196817.tif 000013
【図１２】
2005196817.tif 000014
【図１３】
2005196817.tif 000015